(57)【要約】【課題】部材点数を削減することができると共に簡易な構造を有する蝋燭立てを提供する。【解決手段】蝋燭立て１は、固定体２、フード体３、及びフード体３に固定され蝋燭６を支持する蝋燭支持体４を備える。フード体３は、固定体２とフード体３によって蝋燭支持体４の周囲の全周が囲まれる収容状態と、蝋燭支持体４が外部に開放される開放状態との間で鉛直方向の回動軸を中心に回動自在に形成されている。このため、蝋燭台を使用することなく、蝋燭立て１の構成が簡易なものになる。また、収容状態において蝋燭６に風が当たることが防止されて、風で蝋燭６の火が消えなくなる。また、蝋燭立て１からの蝋燭６の脱落が防止されて火災発生が防止される。また開放状態では、外部に露出した蝋燭支持体４に蝋燭６を容易に支持させることができる。【選択図】図１
2010065383.tif 000002
【特許請求の範囲】
【請求項１】
固定体、フード体、及び前記フード体に固定され蝋燭を支持する蝋燭支持体を備え、前記フード体が、前記固定体とフード体によって前記蝋燭支持体の周囲の全周が囲まれる収容状態と、前記蝋燭支持体が外部に開放される開放状態との間で鉛直方向の回動軸を中心に回動自在に形成されていることを特徴とする蝋燭立て。
【請求項２】
上記蝋燭支持体が、上記フード体から横方向に突出する支持腕と、前記支持腕から上方に突出し蝋燭の下端に突き刺さることで蝋燭を支持する支持突部とを備えることを特徴とする請求項１に記載の蝋燭立て。
【請求項３】
上記支持突部の外周面に螺旋溝が形成されていることを特徴とする請求項２に記載の蝋燭立て。
【請求項４】
上記蝋燭支持体による蝋燭の支持位置が、上記フード体の回動軸と重なる位置にあることを特徴とする請求項１乃至３のいずれか一項に記載の蝋燭立て。
【請求項５】
上記フード体の回動軸が、収容状態における上記蝋燭支持体による蝋燭の支持位置よりも前記フード体側に位置していることを特徴とする請求項１乃至３のいずれか一項に記載の蝋燭立て。
【発明の詳細な説明】
【技術分野】
【０００１】
本発明は、蝋燭立てに関する。
【背景技術】
【０００２】
従来、蝋燭立て１としては、風等によって蝋燭６の火が消えないようにするため、周囲が囲まれた収容空間１４内に蝋燭６を配置し、この収容空間１４を開閉するフード体３を設け、このフード体３により収容空間１４を開閉することで、収容空間１４内に蝋燭６を出し入れしたり、蝋燭６に火を灯したりするようにしたものがある。図９に従来の蝋燭立て１の一例を示す（特許文献１参照）。この蝋燭立て１は墓地に設置される。この蝋燭立て１では、石材製の固定体２の内部に平断面円形状の収容空間１４が形成されており、また固定体２の前面には前記収容空間１４に連通する窓部１５が開口している。収容空間１４内の底面には、蝋燭台２５が載置されている。
【０００３】
収容空間１４内にはフード体３が設けられている。このフード体３は板材が円弧状に屈曲された形状を有し、平断面Ｃ字状に形成されている。またフード体３にはほぼ全面に亘って複数の通孔１６が形成されている。通孔１６の開口形状は円形のほか、適宜の形状に形成される。このフード体３は、例えばステンレス鋼板製のパンチングメタル等で形成される。またフード体３は透明樹脂やガラス等の通孔１６を有さない透明な材質で形成されても良い。このフード体３は、その外周面が収容空間１４の内周面に沿うように収容空間１４内に配置され、このフード体３の外周面が収容空間１４の内面に対して摺動するように横方向にスライドしながら回動する。このようにフード体３が回動することで、窓部１５が開閉自在となっている。このフード体３には把手１７を窓部１５から外方に突出するように設けられており、これにより、墓参者等が把手１７を横方向に引くことによってフード体３を容易に回動させて窓部１５を開閉することができる。墓参者等は蝋燭立て１に蝋燭６を立てる際には、フード体３を回動させることで窓部１５を開き、この窓部１５から蝋燭６を収容空間１４内に差し入れて、この蝋燭６を蝋燭台２５に立てると共にこの蝋燭６に火を灯すことができ、更にフード体３を逆向きに回動させて窓部１５を覆うことで蝋燭６に風が当たることを防ぎ、風で蝋燭６の火が消えないようにすることができる。
【０００４】
しかし、この蝋燭立て１では、固定体２とは別体の蝋燭台２５が必要となって、部材点数が多くなってしまうという問題があり、またいたずら等により蝋燭台２５が持ち去られてしまったり、蝋燭台２５のみを紛失してしまったりする可能性もある。また、固定体２に対して蝋燭台２５を固着するとすれば、そのために固定体２に対して穴あけ等の加工を行う必要となって多大な手間がかかってしまうという問題もある。
【特許文献１】特許第２７６９１４３号公報
【発明の開示】
【発明が解決しようとする課題】
【０００５】
本発明は上記の点に鑑みてなされたものであり、部材点数を削減することができると共に簡易な構造を有する蝋燭立てを提供することを目的とする。
【課題を解決するための手段】
【０００６】
本発明に係る蝋燭立て１は、固定体２、フード体３、及び前記フード体３に固定され蝋燭６を支持する蝋燭支持体４を備え、前記フード体３が、前記固定体２とフード体３によって前記蝋燭支持体４の周囲の全周が囲まれる収容状態と、前記蝋燭支持体４が外部に開放される開放状態との間で鉛直方向の回動軸を中心に回動自在に形成されていることを特徴とする。
【０００７】
このため、別途に蝋燭台を用いることなく蝋燭支持体４で蝋燭６を支持することができ、またこの蝋燭支持体４はフード体３に固定されていることで蝋燭立て１の構成を簡易なものにすることができる。また、収容状態では蝋燭支持体４で支持された蝋燭６の周囲が固定体２及びフード体３で囲まれることで、蝋燭６に風が当たることが防止されて、風で蝋燭６の火が消えなくなると共に、蝋燭６が蝋燭立て１から脱落することが防止されて火災発生が防止される。また開放状態では、外部に露出した蝋燭支持体４に蝋燭６を容易に支持させることができる。
【０００８】
本発明では、上記蝋燭支持体４が、上記フード体３から横方向に突出する支持腕７と、前記支持腕７から上方に突出し蝋燭６の下端に突き刺さることで蝋燭６を支持する支持突部８とを備えることが好ましい。この場合、蝋燭支持体４の構成を簡易なものにすることができると共に、この蝋燭支持体４により蝋燭６を安定して支持することができる。
【０００９】
上記支持突部８の外周面には螺旋溝９が形成されていることが好ましい。この場合、蝋燭６を回転させながらその下端を支持突部８に突き刺すことで、蝋燭６に支持突部８を深く突き刺すことができ、蝋燭支持体４により蝋燭６を更に安定して支持することができる。
【００１０】
また、本発明では、上記蝋燭支持体４による蝋燭６の支持位置が、上記フード体３の回動軸と重なる位置にあることが好ましい。この場合、フード体３を回動させても蝋燭６の支持位置が移動しなくなり、蝋燭６の配置位置が移動することにより蝋燭６が蝋燭支持体４から脱落したり火が消えたりするようなことが防止される。
【００１１】
また、本発明では、上記フード体３の回動軸が、収容状態における上記蝋燭支持体４による蝋燭６の支持位置よりも前記フード体３側に位置していることも好ましい。この場合、収容状態において上記フード体３が回動して開放状態となる際にこのフード体３の回動に伴って蝋燭支持体４による蝋燭６の支持位置を固定体２から離れるように移動させることができ、開放状態で蝋燭支持体４に蝋燭６を支持したり蝋燭６に火を灯したりする際に固定体２が邪魔にならないようにすることができる。
【発明の効果】
【００１２】
本発明によれば、風により蝋燭の火が消えることや、蝋燭の脱落等による火災発生を防止することができ、また蝋燭を蝋燭立てに支持させることが容易なものとなり、しかも蝋燭台が不要となって部材点数を削減することができると共に蝋燭立ての構成を簡易なものにすることができる。
【発明を実施するための最良の形態】
【００１３】
以下、本発明を実施するための最良の形態を説明する。
【００１４】
まず、墓石に設けられる蝋燭立て１について説明する。
【００１５】
図８に墓石の一例を示す。この墓石には、墓碑１０の前方に水鉢１１及び香台１２が設けられ、この水鉢１１及び香台１２の両側には一対の花立て１３が設けられ、各花立て１３の前方にはそれぞれ蝋燭立て１が設けられている。これらの墓碑１０並びにその付属物は、いずれも石材で形成されている。尚、この墓石の構成は一例に過ぎず、例えば墓石は付属物として更に供物台、塔婆立て、墓誌等を備えていても良い。
【００１６】
二つの各花立て１３は四角柱状に形成されている。また、二つの各蝋燭立て１は前面が円弧面状に形成されると共に、両側面及び背面が平面状に形成されており、この蝋燭立て１の背面は花立て１３の前面に密接している。尚、蝋燭立て１は円柱状であっても良いが、その場合には蝋燭立て１と花立て１３との間に隙間が生じ、この隙間の掃除がしにくくなるため、墓石の掃除の便のためには蝋燭立て１は本実施形態のような形状に形成することが好ましい。
【００１７】
図１に示すように、蝋燭立て１は固定体２とフード体３で構成される。固定体２は石材製であり、この固定体２の内部には平断面円形状の収容空間１４が形成されており、また固定体２の前面には前記収容空間１４に連通する窓部１５が開口している。
【００１８】
この収容空間１４内にフード体３が設けられている。このフード体３は板材が円弧状に屈曲された形状を有し、平断面Ｃ字状に形成されている。またフード体３にはほぼ全面に亘って複数の通孔１６が形成されている。通孔１６の開口形状は円形のほか、適宜の形状に形成される。このフード体３は、例えばステンレス鋼板製のパンチングメタル等で形成される。またフード体３は透明樹脂やガラス等の通孔１６を有さない透明な材質で形成されても良い。このフード体３は、その外周面が収容空間１４の内周面に沿うように収容空間１４内に配置され、このフード体３の外周面が収容空間１４の内面に対して摺動するように横方向にスライドしながら回動する。このフード体３は、窓部１５の全体がフード体３で閉塞されることで収容空間１４の外周全体が固定体２の外周壁とフード体３によって囲まれた収容状態と、窓部１５が開放されることで収容空間１４が窓部１５を介して外部に開放された開放状態との間で回動する。
【００１９】
フード体３の外面には把手１７が窓部１５から外方に突出するように設けられており、墓参者が把手１７を横方向に引くことによってフード体３を容易に回動させて窓部１５を開閉することができる。また、フード体３の内面には、支持腕７と支持突部８とで構成される蝋燭支持体４が固定されている。支持腕７は棒状に形成され、フード体３の内面における前記把手１７の取り付け位置とは反対側の位置から棒状の支持腕７が収容空間１４内に向けて突出するように設けられている。支持突部８は棒状に形成され、前記支持腕７の先端から上方に向けて突出するように形成されている。支持突部８の外周面には螺旋溝９が形成されている。この支持突部８は、フード体３の回動軸と重なる位置に配置されている。
【００２０】
この把手１７は、収容状態において窓部１５の側縁と当接する位置に取り付けられている。このため、把手１７はフード体３を回動させて開放状態から収容状態とする際のストッパとしても機能する。
【００２１】
この把手１７及び蝋燭支持体４は、パンチングメタルで形成されるフード体３に容易に取り付けられる。すなわち、例えば両端に螺旋溝９が形成された棒材を屈曲することで支持腕７と支持突部８を有する蝋燭支持体４を形成し、この蝋燭支持体４の支持突部８側の端部にナット２８を螺着した後、この端部をフード体３に形成された通孔１６に挿通する。この蝋燭支持体４の、フード体３の外面側に突出する端部に把手１７を螺着するなどして取着する共に、把手１７とナット２８の間でフード体３を挟持する。これにより、蝋燭支持体４がフード体３に固定されると共にこのフード体３に把手１７が取り付けられる。
【００２２】
また、収容空間１４内には蝋受け１８が着脱自在に設けられている。この蝋受け１８は上方に開口する容器である。この蝋受け１８は開放状態において窓部１５を介して収容空間１４の底部に載置されることで蝋燭立て１に取り付けられ、この窓部１５を介して収容空間１４から取り出されることで蝋燭立て１から取り外される。
【００２３】
この蝋燭立て１に蝋燭６を立てる際には、墓参者等は把手１７を横方向に引くことでフード体３を回動させ、窓部１５を開いて開放状態とする。このとき、収容空間１４内の蝋燭支持体４が窓部１５を介して外部に露出する。この窓部１５から蝋燭６を収容空間１４内に差し入れて、この蝋燭６を下端に支持突部８を突き刺す。このとき蝋燭６を回転させながらその下端を支持突部８に突き刺すようにすると、蝋燭６の下端に支持突部８がねじ込まれながら突き刺さり、蝋燭６に支持突部８を深く突き刺すことができると共にこの蝋燭６が支持突部８にて安定して支持される。このようにして蝋燭６を蝋燭支持体４に支持させると共にこの蝋燭６に火を灯した後、フード体３を逆向きに回動させて窓部１５を覆い、収容状態とする。この収容状態では、蝋燭支持体４による蝋燭６の支持位置の周囲の全周が、固定体２及びフード体３によって囲まれる。このため、蝋燭６に風が当たることが防止されて、風で蝋燭６の火が消えなくなると共に、外部からフード体３を介して蝋燭６の火を視認することができる。
【００２４】
また、このように蝋燭立て１に蝋燭６を立てる際、上記の通り支持突部８の配置位置はフード体３の回動軸と重なるため、蝋燭支持体４による蝋燭６の支持位置が回動軸と重なり、フード体３を回動する際には蝋燭支持体４で支持された蝋燭６の配置位置は移動しなくなる。このため、開放状態において蝋燭支持体４に蝋燭６を支持させると共にこの蝋燭６に火を灯した後、フード体３を回動して収容状態とするまでの間、蝋燭６の配置位置は移動せず、蝋燭６の配置位置が移動することにより蝋燭６が蝋燭支持体４から脱落したり火が消えたりするようなことが防止される。
【００２５】
また、蝋燭６に火が灯されている間、或いは蝋燭６が燃え尽きた後に、蝋燭６の蝋が支持突部８から下方に落下した場合には、この蝋が蝋受け１８によって受け止められ、収容空間１４内が蝋で汚れるようなことがなくなる。この蝋受け１８に溜まった蝋は、蝋受け１８を蝋燭立て１から適宜取り外して洗浄することで容易に除去することができる。尚、通常の蝋燭台２５にも蝋を受け止めるための蝋受け１８が一体に形成されているが、蝋燭６を支持するための突起と一体に形成されているため複雑な形状を有し、洗浄作業が繁雑になるのに対して、本実施形態における蝋受け１８は蝋を受け止める機能のみを有し、単純な容器状の形状に形成されるため、洗浄が非常に容易になる。
【００２６】
図２は、蝋燭支持体４の構造の他例を示す。この蝋燭支持体４では、支持突部８と支持腕７との間の屈曲部分が下方に延出され、これにより、支持突部８の下端に支持腕７よりも下方に突出する誘導突部１９が形成されている。この場合、蝋燭６から溶け出した蝋が前記誘導突部１９を伝って下方へ導かれて落下しやすくなり、このため蝋燭支持体４における蝋の付着が防止される。また、支持突部８は図示のように上端側ほど径が小さくなる先細状に形成されることが好ましく、またこの支持突部８の上端は尖状に形成されることが好ましい。この場合、支持突部８に蝋燭６の下端を突き刺せて蝋燭６を支持するにあたり、支持突部８が蝋燭６に突き刺さりやすくなり、蝋燭６をが蝋燭支持体４で安定性良く支持されるようになる。また、支持突部８に形成される螺旋溝９のピッチがあまりにも短すぎると蝋燭６が支持突部８の螺旋溝９に食い込みにくくなって蝋燭６に支持突部８をねじ込むことが困難となるため、螺旋溝９のピッチは支持突部８を蝋燭６に充分にねじ込むことができるように適宜調整されることが好ましい。
【００２７】
図３に、墓石に設けられる蝋燭立て１の他の実施形態を示す。本実施形態では、フード体３の回動軸は蝋燭支持体６による蝋燭６の支持位置とは一致せず、前記回動軸が、収容状態における蝋燭支持体４による蝋燭６の支持位置よりもフード体３側に位置するようにしたものである。
【００２８】
この蝋燭立て１では、固定体２の内部には図１の場合と同様に収容空間１４が形成されていると共に、固定体２の前面には前記収容空間１４に連通する窓部１５が開口している。収容空間１４の平断面形状は、窓部１５側が円弧状に形成され、窓部１５と反対側は窓部１５側よりも曲率半径の大きい円弧状に形成されている。
【００２９】
窓部１５には、窓部１５の開口形状と合致する形状のフード体３が設けられている。このフード体３は板材が円弧状に屈曲された形状を有し、平断面Ｃ字状に形成されている。またフード体３にはほぼ全面に亘って複数の通孔１６が形成されている。通孔１６の開口形状は円形のほか、適宜の形状に形成される。このフード体３は、例えばステンレス鋼板製のパンチングメタル等で形成される。またフード体３は透明樹脂やガラス等の通孔１６を有さない透明な材質で形成されても良い。
【００３０】
このフード体３の略中心の内面には鉛直方向の支軸２０が固着されている。この支軸２０の上端はフード体３の上端縁より上方に突出すると共に支軸２０の下端はフード体３の下端縁よりも下方に突出している。窓部１５の上下端縁には、前記支軸２０の端部が挿入される支持穴２１が形成されており、各支持穴２１に支軸２０の各端部が挿入されることで、フード体３が固定体２に対して回動自在に支持されている。このため、フード体３の回動軸の位置と支軸２０の位置とが一致し、このフード体３の回動軸が窓部１５の開口の略中心に位置している。このフード体３は、窓部１５の開口がフード体３で閉塞されることで収容空間１４の外周全体が固定体２の外周壁とフード体３によって囲まれた収容状態と、このフード体３が回動軸を中心に反転した開放状態との間で回動する。
【００３１】
このフード体３の側端部の外面には、図１に示す場合と同様に把手１７が取り付けられていると共にこのフード体３に図１に示す場合と同様に蝋燭支持体４が固定されている。蝋燭支持体４の支持突部８は、収容状態において収容空間１４の略中心に配置されるように設けられている。
【００３２】
また、このフード体３には蝋受け１８が支持されている。この蝋受け１８は、蝋燭支持体４と同様の手法でフード体３の内面から突出するように取り付けられた棒状の蝋受け支持体２２に支持されている。この蝋受け１８は蝋受け支持体２２に固着されていても良いが、蝋受け支持体２２に対して着脱可能に形成されていても良い。この蝋受け１８は、上方が開口する容器状に形成されている。またこの蝋受け１８は、蝋燭支持体４における支持突部８の直下に位置するように設けられる。
【００３３】
この蝋燭立て１に蝋燭６を立てる際には、墓参者等は把手１７を引くことでフード体３を回動させて開放状態とする。このとき、フード体３が回動軸を中心に反転することで、このフード体３に固定されている蝋燭支持体４が固定体２から離れるように移動し、収容空間１４から窓部１５を通じて外部に取り出され、フード体３の手前に配置されて外部に開放される。この蝋燭支持体４の支持突部８に蝋燭６の下端を突き刺すことで蝋燭６を蝋燭支持体４に支持させると共にこの蝋燭６に火を灯す。その後、フード体３を逆向きに回動させて窓部１５を覆い、収容状態とする。このとき、蝋燭支持体４による蝋燭６の支持位置は収容空間１４内に配置されて収容空間１４内に蝋燭６が収容されると共にこの蝋燭６の支持位置の周囲の全周が固定体２及びフード体３によって囲まれる。これにより、蝋燭６に風が当たることが防止されて、風で蝋燭６の火が消えなくなると共に、外部からフード体３を介して蝋燭６の火を視認することができる。
【００３４】
このように蝋燭立て１に蝋燭６を立てる際、開放状態では蝋燭支持体４が収容空間１４の外側に取り出されてフード体３よりも手前に配置され、固定体２で囲まれていない状態となるため、蝋燭６を蝋燭支持体４に支持させる際に蝋燭６を窓部１５から収容空間１４内に差し入れる必要がなくなり、固定体２が邪魔になることなく蝋燭６を蝋燭支持体４に容易に支持させることができ、またこの蝋燭６に火を灯すことも容易になる。
【００３５】
また、蝋受け１８は蝋燭支持体４と同様にフード体３に支持され、フード体３が回動しても常に蝋燭支持体４による蝋燭６の支持位置の直下に位置する。このため、開放状態で蝋燭支持体４に蝋燭６を支持させてから、フード体３を回動させて収容状態とするまでの間に蝋燭６から蝋が落ちても、この蝋が蝋受け１８で受け止められる。また、開放状態では蝋受け１８は蝋燭支持体４と同様にフード体３よりも手前に配置され、収容空間１４の外側に取り出されて固定体２で囲まれていない状態となるため、蝋受け１８の清掃が容易となる。更に、この蝋受け１８が蝋受け支持体２２に対して着脱自在である場合には、開放状態で蝋受け１８を蝋受け支持体２２から取り外すことができ、蝋受け１８の清掃が更に容易となる。
【００３６】
図４に、墓石に設けられる蝋燭立て１の更に他の実施形態を示す。この蝋燭立て１では、図３に示す実施形態において、蝋燭支持体４が、支持椀７に上方に開口する容器状の支持容器２９を固着して形成されている。また、図３における蝋受け１８は設けられていない。他の構成は図３に示すものと同様である。
【００３７】
この実施形態では、支持容器２９の内側にこの支持容器２９の形状に合致する形状を有する蝋燭６を嵌入することで、蝋燭支持体４に蝋燭６を支持させることができる。本実施形態では、例えば径が大きく、長時間火を灯すことが可能な蝋燭６を安定して支持することができる。また、支持容器２９は蝋受け１８の機能も兼ね備えるようになり、蝋燭６の蝋は支持突部８内に溜まって支持容器２９から落下するようなことがなくなる。
【００３８】
また、本発明は、上記のような墓石等に設置される固定型の蝋燭立て１以外にも、家庭内の仏壇等で使用される蝋燭立て１のような種々の蝋燭立て１に適用可能である。
【００３９】
図５は、家庭内の仏壇等で使用される蝋燭立て１の一実施形態を示す。この蝋燭立て１においても、フード体３の回動軸は蝋燭支持体６による蝋燭６の支持位置とは一致せず、前記回動軸が、収容状態における蝋燭支持体４による蝋燭６の支持位置よりもフード体３側に位置するようになっている。
【００４０】
この蝋燭立て１は、台座２３と、この台座２３に立設された固定体２及び蝋燭支持体４と、蝋燭支持体４に固定された蝋燭支持体４とで構成される。台座２３は、例えば金属、石材等の比重の大きい材質で形成されることが好ましく、この場合、蝋燭立て１の重心が低くなって転倒しにくくなる。
【００４１】
固定体２及びフード体３は板材で形成され、またフード体３にはほぼ全面に亘って複数の通孔１６が形成されている。通孔１６の開口形状は円形のほか、適宜の形状に形成される。この固定体２及びフード体３は、例えばステンレス鋼板製のパンチングメタル等で形成される。また固定体２及びフード体３は透明樹脂やガラス等の通孔１６を有さない透明な材質で形成されても良い。
【００４２】
固定体２は平面視Ｌ字状に形成され、台座２３に対して固定されている。
【００４３】
フード体３は平面視Ｌ字状に形成されており、このフード体３のコーナー部の内面には、上面が閉塞すると共に下面が開口する筒状の軸受け２６が固着されている。一方、台座２３には前記軸受け２６に挿入される支持軸２７が立設されており、この支持軸２７が軸受けに下端開口から挿入することで、フード体３が台座２３に対して回動自在に支持されている。このためフード体３の回動軸の位置は支持軸２７及び軸受け２６の位置と一致し、この回動軸がフード体３のコーナー部に位置している。このフード体３を構成する二つの平面部分のうちの一方には、蝋燭支持体４が固定されている。この蝋燭支持体４は前記平面部分のうち他の平面部分の突出方向側の面から、前記突出方向に向けて突出する支持腕７と、この支持腕７の先端から上方に突出する支持突部８とで構成されている。また、この平面部分の蝋燭支持体４が固定されている面とは反対側の面には、把手１７が設けられている。この蝋燭支持体４及び把手１７は、図１に示す実施形態の場合と同様にしてフード体３に取り付けられている。
【００４４】
このフード体３は収容状態と開放状態との間で回動自在に形成されている。収容状態では、フード体３は、固定体２とフード体３の各コーナー部分が対角線状に配置されると共にこの固定体２とフード体３の各側端同士が直角状に突き合わされ、固定体２とフード体３とが四角筒状に組み合わされる。この状態では、台座２３の上方に固定体２とフード体３とで囲まれた収容空間１４が形成され、この収容空間１４内に蝋燭支持体４が配置される。蝋燭支持体４による蝋燭６の支持位置は収容空間１４の略中央に位置し、この蝋燭支持体４の周囲の全周が固定体２とフード体３によって囲まれる。
【００４５】
また、開放状態では、フード体３は上記収容状態での位置から回動した適宜の位置、例えばフード体３が開放状態における位置から回動軸を中心に９０°〜２７０°の範囲で回動した位置に配置される。これにより、蝋燭支持体４がフード体３と共に移動して外部に露出する。
【００４６】
また、台座２３には収容空間１４に向けて上方に開口する取着凹部２４が形成され、この取着凹部２４内に蝋受け１８が取着されている。蝋受け１８は上方に開口する容器であり、前記取着凹部２４と合致する形状に形成されている。蝋受け１８は前記取着凹部２４に対して着脱可能に形成される。
【００４７】
この蝋燭立て１に蝋燭６を立てる際には、使用者は把手１７を操作してフード体３を回動させて開放状態とする。このとき、フード体３が回動することで、このフード体３に支持されている蝋燭支持体４が固定体２から離れるように移動し、収容空間１４の外部に取り出され、蝋燭６の支持位置が外部に開放される。この蝋燭支持体４の支持突部８に蝋燭６の下端を突き刺すことで蝋燭６を蝋燭支持体４に支持させると共にこの蝋燭６に火を灯す。このとき、図３に示す場合と同様に固定体２が邪魔になることなく蝋燭６を蝋燭支持体４に容易に支持させることができると共にこの蝋燭６に火を灯すことも容易になる。その後、フード体３を逆向きに回動させて収容状態とする。このとき、蝋燭支持体４は収容空間１４内に配置されて収容空間１４内に蝋燭６が収容されると共にこの蝋燭６の支持位置の周囲の全周が固定体２及びフード体３によって囲まれる。これにより、蝋燭６に風が当たることが防止されて、風で蝋燭６の火が消えなくなると共に、外部からフード体３を介して蝋燭６の火を視認することができる。また、蝋燭支持体４に支持された蝋燭６が収容空間１４内で倒れても、収容空間１４は固定体２及びフード体３で囲まれてるため蝋燭６は収容空間１４の外側に脱落することがなく、このため蝋燭立て１からの蝋燭６の脱落による火災発生が防止される。更に蝋燭立て１が転倒した場合にも、蝋燭６は固定体２及びフード体３で囲まれた収容空間１４内に配置されているため、蝋燭６の火が周りに燃え移りにくくなり、蝋燭立て１の転倒による火災発生が防止される。
【００４８】
また、蝋受け１８は収容状態において蝋燭支持体４による蝋燭６の支持位置の直下に位置する。このため、蝋燭６から蝋が落ちても、この蝋が蝋受け１８で受け止められる。また、開放状態では蝋受け１８は外部に開放され、蝋受け１８を台座２３の取着凹部２４から取り外すことでき、蝋受け１８の清掃が容易となる。
【００４９】
このような蝋燭立て１においては、図６，７に示すように固定体２及びフード体３の形状を種々変更することができる。
【００５０】
例えば図６に示す蝋燭立て１は、図５に示す実施形態において、固定体２及びフード体３の形状を変更したものであり、他の構成は図５に示すものと同様である。
【００５１】
固定体２は平面視半円弧状に形成され、台座２３に対して固定されている。
【００５２】
フード体３は平面視が固定体２と同じ曲率半径を有する半円弧状に形成され、このフード体３の内面の略中央には、上面が閉塞すると共に下面が開口する筒状の軸受け２６が固着されている。台座２３には前記軸受け２６に挿入される支持軸２７が立設されており、この支持軸２７が軸受けに下端開口から挿入することで、フード体３が台座２３に対して回動自在に支持されている。このためフード体３の回動軸の位置は支持軸２７及び軸受け２６の位置と一致し、この回動軸はフード体３の略中央部に位置している。このフード体３の一側縁付近の内面には、蝋燭支持体４が固定されている。この蝋燭支持体４はフード体３で囲まれた内側に向けて突出する支持腕７と、この支持腕７の先端から上方に突出する支持突部８とで構成されている。また、フード体３の外面には、蝋燭支持体４の固定位置とは反対側に、把手１７が設けられている。この蝋燭支持体４及び把手１７は、図１に示す実施形態の場合と同様にしてフード体３に取り付けられている。
【００５３】
このフード体３は収容状態と開放状態との間で回動自在に形成されている。収容状態では、固定体２とフード体３の各内面同士が対向し、且つこの固定体２とフード体３の各側端同士が突き合わされて、固定体２とフード体３とが円筒状に組み合わされる。この状態では、台座２３の上方に固定体２とフード体３とで囲まれた収容空間１４が形成され、この収容空間１４内に蝋燭支持体４が配置される。蝋燭支持体４による蝋燭６の支持位置は収容空間１４の略中央に位置し、この蝋燭支持体４の周囲の全周が固定体２とフード体３によって囲まれる。
【００５４】
また、開放状態では、フード体３は上記収容状態での位置から回動した適宜の位置、例えばフード体３が開放状態における位置から回動軸を中心に反転した位置に配置される。これにより、蝋燭支持体４がフード体３と共に移動して外部に露出する。
【００５５】
また、図７に示す蝋燭立て１も、図５に示す実施形態において、固定体２及びフード体３の形状を変更したものであり、他の構成は図５に示すものと同様である。尚、この図７には取着凹部２４及び蝋受け１８は示されていないが、勿論図５に示すものと同様に取着凹部２４及び蝋受け１８を設けても良い。
【００５６】
固定体２は平面視略Ｃ字状に形成され、台座２３に対して固定されている。
【００５７】
フード体３は平面状に形成され、このフード体３の内面の略中央には、上面が閉塞すると共に下面が開口する筒状の軸受け２６が固着されている。一方、台座２３には前記軸受け２６に挿入される支持軸２７が立設されており、この支持軸２７が軸受けに下端開口から挿入することで、フード体３が台座２３に対して回動自在に支持されている。このためフード体３の回動軸の位置は支持軸２７及び軸受け２６の位置と一致し、この回動軸はフード体３の略中央部に位置している。このフード体３の略中央部の一面には、蝋燭支持体４が固定されている。この蝋燭支持体４はフード体３とは反対側に向けて突出する支持腕７と、この支持腕７の先端から上方に突出する支持突部８とで構成されている。
【００５８】
このフード体３は収容状態と開放状態との間で回動自在に形成されている。収容状態では、フード体３は固定体２の内側に、この固定体２の一端付近から他端付近に亘って配置され、これにより固定体２の両端間の隙間を閉塞するように配置される。この状態では、台座２３の上方に固定体２とフード体３とで囲まれた収容空間１４が形成される。また、フード体３における蝋燭支持体４が固定されている一面は前記収容空間１４に臨んでおり、これにより収容空間１４内に蝋燭支持体４が配置される。蝋燭支持体４による蝋燭６の支持位置は収容空間１４の略中央に位置し、この蝋燭支持体４の周囲の全周が固定体２とフード体３によって囲まれる。
【００５９】
また、開放状態では、フード体３が開放状態における位置から回動軸を中心に反転した位置に配置される。これにより、蝋燭支持体４がフード体３と共に移動して外部に露出する。
【図面の簡単な説明】
【００６０】
【図１】本発明の実施の形態の一例を示すものであり、（ａ）は収容状態における正面図、（ｂ）は（ａ）の平断面図、（ｃ）は開放状態における一部破断した正面図、（ｄ）は（ｃ）の平断面図である。
【図２】同上の実施の形態における蝋燭支持体の構造の他例を示す正面図である。
【図３】本発明の実施の形態の他例を示すものであり、（ａ）は収容状態における平断面図、（ｂ）は一部破断した一部の正面図、（ｃ）は開放状態における平断面図である。
【図４】本発明の実施の形態の更に他例を示すものであり、（ａ）は収容状態における平断面図、（ｂ）は一部の正面図、（ｃ）は開放状態における平断面図である。
【図５】本発明の実施の形態の更に他例を示すものであり、（ａ）は平面図、（ｂ）は一部破断した正面図である。
【図６】本発明の実施の形態の更に他例を示す平面図である。
【図７】本発明の実施の形態の更に他例を示すものであり、（ａ）は平面図、（ｂ）は一部破断した正面図である。
【図８】蝋燭立てが設置される墓石の構成の一例を示すものであり、（ａ）は正面図、（ｂ）は平面図である。
【図９】従来技術の一例を示す正面図である。
【符号の説明】
【００６１】
１    蝋燭立て
２    固定体
３    フード体
４    蝋燭支持体
６    蝋燭
７    支持腕
８    支持突部
９    螺旋溝
【図１】
2010065383.tif 000003
【図２】
2010065383.tif 000004
【図３】
2010065383.tif 000005
【図４】
2010065383.tif 000006
【図５】
2010065383.tif 000007
【図６】
2010065383.tif 000008
【図７】
2010065383.tif 000009
【図８】
2010065383.tif 000010
【図９】
2010065383.tif 000011